(57)【特許請求の範囲】
【請求項１】
複数の筐体を上下方向に段積みした段積み筐体であって、
前記複数の筐体の各筐体は、前記筐体の上面を補強する上面補強部材と、
前記筐体の下面を補強し、内側が前記筐体の内部と連通する下面補強部材と、
前記筐体の左右の側面に配設され、自重により所定の収納位置に変位する取手と、
前記筐体の内部に配設されたロック機構と、を備え、
前記ロック機構は、前記筐体の側面に設けられた第１貫通穴から突出する取手係合部が一端側に形成され、前記下面補強部材の側面に設けられた第２貫通穴から突出する係止突起が他端側に形成され、前記所定の収納位置にある前記取手が前記取手係合部を前記筐体の内部へ押し込んだ状態で前記第２貫通穴から前記係止突起が突出するように左右に変位するロック部材と、
前記第１貫通穴から前記取手係合部が突出し前記第２貫通穴から前記係止突起が突出しない位置に前記ロック部材を付勢する第１付勢機構と、を含み、
前記取手が前記所定の収納位置にある状態で、上下方向に段積みした前記複数の筐体の上側の筐体の前記下面補強部材に形成された前記第２貫通穴から突出した係止突起が下側の筐体の前記上面補強部材に形成された係止穴に係合する、段積み筐体。
【請求項２】
請求項１に記載の段積み筐体において、上下方向に段積みした前記複数の筐体の上側の筐体の前記下面補強部材と下側の筐体の前記上面補強部材とが係合して、その下側の筐体に対する上側の筐体の左右方向の変位が規制される、段積み筐体。
【請求項３】
請求項１又は２に記載の段積み筐体において、前記複数の筐体の各筐体は、前記上面補強部材または前記下面補強部材のいずれかと係合して、上下方向に段積みした前記複数の筐体の下側の筐体に対する上側の筐体の前後方向の位置を位置決めする段積み位置決め部をさらに備える、段積み筐体。
【請求項４】
請求項１〜３のいずれか１項に記載の段積み筐体において、前記複数の筐体の各筐体は、前記所定の収納位置へ変位する方向に前記取手を付勢する第２付勢機構をさらに備える、段積み筐体。
【発明の詳細な説明】
【技術分野】
【０００１】
本発明は、複数の筐体を積み重ねた段積み筐体に関する。
【背景技術】
【０００２】
複数の筐体を積み重ねて設置する際には、地震等の振動による落下等を防止するため、これらの複数の筐体を固定する必要がある。このような複数の筐体の固定部材の一つとして、積み重ね筐体の連結装置が公知である（特許文献１）。この積み重ね筐体の連結装置は、より具体的には、上下に積んだ各筐体にスライド可能に取り付けられたコ字形状のシャーシが互いに係合するよう構成されている。そしてシャーシには互いに連結するためのロック機構とそれを解除するためのレバーが設けられており、このレバーを引きながら筐体を所定の積み重ね位置まで収納することにより筐体どうしを固定することができる。
【先行技術文献】
【特許文献】
【０００３】
【特許文献１】特開２０００−２０３５７９号公報
【発明の概要】
【発明が解決しようとする課題】
【０００４】
しかしながら上述の連結装置は、複数の筐体の高さが異なる場合、筐体の高さごとに寸法が異なる連結装置が必要になるため、部品の共通化によるコストダウンが困難であるという課題がある。また上述の連結装置は、上下に積んだ各筐体の横幅が異なる場合、各筐体を互いに係合させることができない。
【０００５】
本発明は、このような状況に鑑みてなされたものであり、その目的とするところは、段積みした複数の筐体のサイズが異なる場合であっても、筐体どうしを固定する機構の部品の共通化によるコストダウンが可能な段積み筐体を提供することにある。
【課題を解決するための手段】
【０００６】
＜本発明の第１の態様＞
本発明の第１の態様は、複数の筐体を上下方向に段積みした段積み筐体であって、前記複数の筐体の各筐体は、前記筐体の上面を補強する上面補強部材と、前記筐体の下面を補強し、内側が前記筐体の内部と連通する下面補強部材と、前記筐体の左右の側面に配設され、自重により所定の収納位置に変位する取手と、前記筐体の内部に配設されたロック機構と、を備え、前記ロック機構は、前記筐体の側面に設けられた第１貫通穴から突出する取手係合部が一端側に形成され、前記下面補強部材の側面に設けられた第２貫通穴から突出する係止突起が他端側に形成され、前記所定の収納位置にある前記取手が前記取手係合部を前記筐体の内部へ押し込んだ状態で前記第２貫通穴から前記係止突起が突出するように左右に変位するロック部材と、前記第１貫通穴から前記取手係合部が突出し前記第２貫通穴から前記係止突起が突出しない位置に前記ロック部材を付勢する第１付勢機構と、を含み、前記取手が前記所定の収納位置にある状態で、上下方向に段積みした前記複数の筐体の上側の筐体の前記下面補強部材に形成された前記第２貫通穴から突出した係止突起が下側の筐体の前記上面補強部材に形成された係止穴に係合する、段積み筐体である。
【０００７】
各筐体の内部には、互いの筐体を係合するためのロック機構が備えられている。このロック機構の一端側は、筐体の側面に設けられた第１貫通穴から突出する。またロック機構の他端側には、下面補強部材の側面に設けられた第２貫通穴から突出する係止突起が形成されている。
【０００８】
筐体の側面に取り付けられた取手が自重により所定の位置に収納されると、第１貫通穴から突出しているロック機構の一端側の取手係合部が取手により筐体の内部へ押し込まれる。このときロック機構の他端側の係止突起は第２貫通穴から筐体外部へ突出する。この突出した係止突起は、この筐体の下に位置する別の筐体の上面補強部材に形成された係止穴に係合する。これにより、下側に位置する筐体に対して、上側の筐体の上下方向及び前後方向の変位が規制され、上下方向に段積みした複数の筐体どうしが固定されることになる。従って段積み作業の工程において、作業者がロックを意識する必要はなく、ロックし忘れることもない。
【０００９】
一方、上段の筐体を移動させるときには、作業者が筐体の取手を持ち上げるために取手を所定の収納位置から変位させることによって、ロック機構の一端側を筐体の内部へ押し込む力が取り除かれる。さらにロック機構が備える第１付勢機構により、取手係合部が第１貫通穴から突出するとともに、第２貫通穴から突出している係止突起が筐体内部へ引き戻される。これにより上下方向に段積みした複数の筐体どうしの固定が解除されることになる。従って固定した段積み筐体の切り離し作業において、作業者がロック解除を意識する必要はない。
【００１０】
上述のロック機構は筐体の高さに無関係であるため、段積みする複数の筐体の高さが個々に異なる場合であってもロック機構の部品を共通化できる。また筐体の横幅が異なる場合においても、下面補強部材の第２貫通穴、及び上面補強部材の係止穴の位置を統一しておくことでロック機構の部品を共通化できる。
【００１１】
これにより本発明の第１の態様によれば、段積みした複数の筐体のサイズが異なる場合であっても、筐体どうしを固定する機構の部品の共通化によるコストダウンが可能な段積み筐体を提供することができるという作用効果が得られる。
【００１２】
＜本発明の第２の態様＞
本発明の第２の態様は、前述した本発明の第１の態様において、上下方向に段積みした前記複数の筐体の上側の筐体の前記下面補強部材と下側の筐体の前記上面補強部材とが係合して、その下側の筐体に対する上側の筐体の左右方向の変位が規制される、段積み筐体である。
【００１３】
本発明の第２の態様によれば、前述した本発明の第１の態様による作用効果に加え、段積みした複数の筐体において下側の筐体に対する上側の筐体の左右方向の変位も規制されるので、各筐体をより強固に固定した段積み筐体を提供することができるという作用効果が得られる。
【００１４】
＜本発明の第３の態様＞
本発明の第３の態様は、前述した本発明の第１又は２の態様において、前記複数の筐体の各筐体は、前記上面補強部材または前記下面補強部材のいずれかと係合して、上下方向に段積みした前記複数の筐体の下側の筐体に対する上側の筐体の前後方向の位置を位置決めする段積み位置決め部をさらに備える、段積み筐体である。
【００１５】
本発明の第３の態様によれば、上下方向に段積みした複数の筐体の下側の筐体に対して、上側の筐体を前後方向の所定の位置に配置することができる。これにより本発明の第３の態様は、前述した本発明の第１又は２の態様による作用効果に加え、段積みした複数の筐体において上側の筐体の係止突起と下側の筐体の係止穴の位置がずれない段積み筐体を提供することができるという作用効果が得られる。
【００１６】
＜本発明の第４の態様＞
本発明の第４の態様は、前述した本発明の第１〜３のいずれかの態様において、前記複数の筐体の各筐体は、前記所定の収納位置へ変位する方向に前記取手を付勢する第２付勢機構をさらに備える、段積み筐体である。
【００１７】
本発明の第４の態様によれば、取手の内部に「第２付勢機構」としてのコイルばねを備える構成とすることで、より確実に取手を所定の収納位置へ引き戻し、段積みされた筐体を固定することができる。これにより本発明の第４の態様は、前述した本発明の第１〜３の態様による作用効果に加え、段積みした複数の筐体を確実に固定することが可能な段積み筐体を提供することができるという作用効果が得られる。
【発明の効果】
【００１８】
本発明によれば、段積みした複数の筐体のサイズが異なる場合であっても、筐体どうしを固定する機構の部品の共通化によるコストダウンが可能な段積み筐体を提供することができるという作用効果が得られる。
【図面の簡単な説明】
【００１９】
【図１】本発明に係る段積み筐体の上面及び側面の斜視図である。
【図２】本発明に係る段積み筐体の下面及び側面の斜視図である。
【図３】本発明に係る段積み筐体のロック機構の斜視図である。
【図４】本発明に係る段積み筐体のロック機構の分解斜視図である。
【図５】本発明に係る段積み筐体のロック状態及びアンロック状態の断面図である。
【発明を実施するための形態】
【００２０】
以下、本発明の実施の形態について図面に基づき説明する。ここで図１〜図５において符号Ｘで示した方向を左右方向、符号Ｙで示した方向を前後方向、符号Ｚで示した方向を上下方向とする。
図１は、本発明の実施例に係る段積み筐体の上面及び側面の概略図である。図２は、本発明の実施例に係る段積み筐体の下面及び側面の概略図である。図３は、本発明に係る段積み筐体のロック機構の斜視図である。図４は、本発明に係る段積み筐体のロック機構の分解斜視図である。
【００２１】
筐体１は、上面補強部材２、下面補強部材３、取手４、ロック機構５をそれぞれ２つずつ備え、両側面に第１貫通穴１０がそれぞれ設けられている。
【００２２】
２つの上面補強部材２は、筐体１の上面の左右に間隔をもって並行に取り付けられ、段積みされた筐体の荷重から筐体１の上面を保護する。また上面補強部材２の中央部で取手側の側面には、係止穴２０が設けられている。
【００２３】
２つの下面補強部材３は、筐体１の左右に間隔をもって並行に取り付けられ、段積みされた筐体１の荷重から筐体１の下面を保護する。また下面補強部材３の中央部で取手４と反対側の側面には、第２貫通穴３０が設けられている。より具体的には２つの下面補強部材３は、複数の筐体１を上下方向に段積みしたときに、上側の筐体１の２つの下面補強部材３が下側の筐体１の２つの上面補強部材２の左右方向の外側にそれぞれ隣接するように設けられている。したがって複数の筐体１を上下方向に段積みしたときには、上側の筐体１の２つの下面補強部材３が下側の筐体１の２つの上面補強部材２に左右方向の外側から挟み込むように係合し、それによって下側の筐体１に対する上側の筐体１の左右方向の変位が規制される。
【００２４】
さらに下面補強部材３の両端部には、段積み位置決め部３１が設けられている。この段積み位置決め部３１は、複数の筐体１を上下方向に段積みしたとき、下側の筐体１に対して上側の筐体１を前後方向の所定に位置に配置するための位置決めの役割を果たす。より具体的には段積み位置決め部３１は、複数の筐体１を上下方向に段積みしたときに、下側の筐体１の上面補強部材２の前後方向の両端に係合するように設けられている。
【００２５】
２つの取手４は、筐体１の両側面に搖動可能に取り付けられ、筐体１を持ち運ぶ際に所定の収納位置から持ち上げられた状態で使用される。取手４は、使用しないときは、自重により下方へ搖動して所定の収納位置に収納される。尚、取手４の内部にコイルばねを備えることにより、取手４を所定の収納位置に付勢する構成としてもよい。
【００２６】
ロック機構５は、シャフト５０、係止突起部材５１、ロック金具５２、コイルばね５３、固定金具５４、ねじ５５を備える。
【００２７】
２つのロック機構５は、筐体１の左右の第１貫通穴１０及び２つの下面補強部材３の第２貫通穴３０が設けられた部分に左右対称となる配置で、固定金具５４及びねじ５５により筐体１の内底面に固定されてそれぞれ設けられている。シャフト５０及び係止突起部材５１はロック金具５２を介して互いに逆向きに接続され、このシャフト５０、係止突起部材５１及びロック金具５２で「ロック部材」が構成される。このロック部材が、「第１付勢機構」としてのコイルばね５３によりシャフト５０の向きに付勢される。
【００２８】
図５は、本発明に係る段積み筐体のロック状態及びアンロック状態の断面図である。ここでは、３つの筐体１が上段筐体１ａ、中段筐体１ｂ、下段筐体１ｃとして３段に段積みされている例を示している。図５のように複数の筐体１を段積みすることにより、段積み筐体１００が構成される。
尚、図５において段積み筐体１００は、右半分側の断面のみ図示して左半分の断面の図示を省略しているが、左半分側においても左右対称で同じ構造になっている。
【００２９】
例えば上段筐体１ａを持ち運ぶ作業において、上段筐体１ａの取手４は所定の収納位置から持ち上げられる。このときロック部材は、コイルばね５３により付勢され、上段筐体１ａのシャフト５０の先端が第１貫通穴１０から突出する。これに伴い、このシャフト５０に連結した係止突起部材５１は、上段筐体１ａの下面補強部材３の内側に入り込む。このため上段筐体１ａと中段筐体１ｂは係合せずアンロック状態となる。
【００３０】
一方、中段筐体１ｂは、その取手４が自重により所定の収納位置に収納されている。このとき中段筐体１ｂのシャフト５０の取手係合部は、取手４により筐体１ｂの内部へ押し込まれる。これに伴い、このシャフト５０に連結した係止突起部材５１は、中段筐体１ｂの第２貫通穴３０から突出するとともに、下段筐体１ｃの係止穴２０に係合する。それによって下段筐体１ｃに対して、中段筐体１ｂの上下方向及び前後方向の変位が規制され、下段筐体１ｃの上に段積みした中段筐体１ｂが下段筐体１ｃに固定される。
【００３１】
また下段筐体１ｃの上面補強部材２は、中段筐体１ｂの下面補強部材３の左右方向への変位を規制するように配置されているため、中段筐体１ｂと下段筐体１ｃは強固に固定される。
【００３２】
このようにして本発明に係る筐体１は、取手４の自重によりロック機構５のシャフト５０を筐体１の内部に押し込むことで、上下方向及び前後方向の変位が規制される。またこのとき下面補強部材３及び上面補強部材２は、筐体１の左右方向への変位を規制する。したがって筐体１は前後、左右、上下のいずれの方向に対しても固定されることになる。
【００３３】
以上の構成は筐体のサイズに依存しないため、段積みした複数の筐体のサイズが異なる場合であっても、筐体どうしを固定する機構の部品の共通化によるコストダウンが可能な段積み筐体を提供することができる。
【符号の説明】
【００３４】
１  筐体
２  上面補強部材
３  下面補強部材
４  取手
５  ロック機構
２０  係止穴
３０  第２貫通穴
５０  シャフト
５１  係止突起部材
５３  コイルばね
【図１】
0006418688.tif 000002
【図２】
0006418688.tif 000003
【図３】
0006418688.tif 000004
【図４】
0006418688.tif 000005
【図５】
0006418688.tif 000006